(57)【要約】【課題】  玉を整列して流下させる際に、上流側から掛かる玉圧を低減して玉の流下速度を均一にする減圧構造を通路に持たせることにより、玉を連続的に安定して流下させることができる整列通路、貯留タンクおよび玉ホッパーを提供することを目的とする。【解決手段】  上流側の多数個の玉を自重により転動させて下流側に流下させる凹形状の傾斜通路を設け、この傾斜通路の底面に、該底面上を転動する玉の球面を僅かに沈み込ませる幅で且つ、傾斜方向に沿って長く開口した流下ガイド用の長溝を形成し、この長溝の下流側端部には溝の幅を先細に絞った玉浮き上がり部を形成した整列通路であることを特徴とする。【選択図】  図１３
2006101897.tif 000002
【特許請求の範囲】
【請求項１】
上流側の多数個の玉を自重により転動させて下流側に流下させる凹形状の傾斜通路を設け、この傾斜通路の底面に、該底面上を転動する玉の球面を僅かに沈み込ませる幅で且つ、傾斜方向に沿って長く開口した流下ガイド用の長溝を形成し、この長溝の下流側端部には溝の幅を先細に絞った玉浮き上がり部を形成した
整列通路。
【請求項２】
前記長溝は傾斜通路の底面と該底面に隣接する一側面との間を開口して設けた請求項１記載の整列通路。
【請求項３】
前記長溝は傾斜通路の底面を異物落下兼用に開口して設けた
請求項１または２記載の整列通路。
【請求項４】
多数個の玉を積層状態に貯留する貯留空間を有し、その傾斜下流側に向けて次第に幅狭にしたタンク部と、該タンク部の下流側に前記絞込み通路を介して接続される凹形状の整列通路とを同一傾斜面上に備えた貯留タンクであって、
前記整列通路の底面に、該底面上を転動する玉の球面を僅かに沈み込ませる幅で且つ、傾斜方向に沿って長く開口した流下ガイド用の長溝を形成し、この長溝の下流側端部には溝の幅を先細に絞った玉浮き上がり部を形成した
貯留タンク。
【請求項５】
積層状態で流下する上層玉の重なりを崩す玉重なり制限部材を、請求項１〜３記載の整列通路の玉浮き上がり部と対応する上方に対設した貯留タンク。
【請求項６】
遊技台の盤面裏側に備えられる玉払出装置の上流側に、請求項４または５記載の貯留タンクを一体的に連結した玉ホッパー。
【発明の詳細な説明】
【技術分野】
【０００１】
この発明は、例えばパチンコ遊技機の入賞玉もしくは貸玉の払い出しを行う玉払出装置の前段に備えられる整列通路に関し、さらに詳しくは積層状態の多数個の玉を短い距離で円滑に流下させる整列通路、貯留タンクおよび玉ホッパーに関する。
【背景技術】
【０００２】
従来、貯留タンクに貯留されている玉を下流側の玉払出装置に流下させる通路として５〜１０°程度の勾配を持たせた流下通路が構築されている。また、この種の流下通路の底面には異物を通路内から落下させるように開口した長穴や溝などの異物排除用の流下溝を設けている。そして、貯留タンクから流下された玉に付着した塵埃、金属粉、あるいは混入したゴミなどの異物が通路内に残って後続玉の妨げになるのを防いでいる(例えば特許文献１参照)。
【０００３】
しかし、このような流下溝を構築した場合は、流下通路の底面に沿って流下する玉が流下溝の下流端縁を通過するときに抵抗を受け、それまでの円滑な流下が妨げられる現象が発生する。
【０００４】
この結果、玉の供給が不連続になり、後段の玉払出装置に玉を安定して供給でできない。このため、玉の供給のタイミングとスプロケットの送り爪の送りタイミングがずれることにより、玉の空送りが生じたり、スプロケットの送り爪との噛み込みが発生して玉詰まりが生じたりする問題があり、特に玉払出装置の払い出しの高速化を図る場合は安定した高速供給を達成する上で課題となっていた。
【０００５】
【特許文献１】実開平１−１６７２８６号
【発明の開示】
【発明が解決しようとする課題】
【０００６】
そこでこの発明は、玉を整列して流下させる際に、玉を安定して流下させることができる整列通路、貯留タンクおよび玉ホッパーを提供することを目的とする。
【課題を解決するための手段】
【０００７】
この発明は、上流側の多数個の玉を自重により転動させて下流側に流下させる凹形状の傾斜通路を設け、この傾斜通路の底面に、該底面上を転動する玉の球面を僅かに沈み込ませる幅で且つ、傾斜方向に沿って長く開口した流下ガイド用の長溝を形成し、この長溝の下流側端部には溝の幅を先細に絞った玉浮き上がり部を形成した整列通路であることを特徴とする。
【０００８】
この発明によると、整列通路に導かれた玉が長溝と対応したとき、この長溝と対応する玉の底面側の球面中央部が溝間に入って僅かに沈み込むことになり、玉の底面は長溝内に僅かに沈み込んだ状態で流下し、玉の底面が溝の両側に平行する両角部に２点線接触してガイドされながら流下する。このため、玉は流下方向が溝方向に特定されて安定して流下し、通路内で左右に動いて不安定な状態で流下することがない。
【０００９】
また、長溝の下流側に玉浮き上がり部を設けることによって、ここを通過する玉は溝の幅が狭くなるに連れて僅かに沈み込んでいた玉は下流に行くに従って、次第に溝から浮き上がってくるかの如く流下する。
【００１０】
このように玉が玉浮き上がり部を通過するとき、通路底面の斜め下方の傾斜方向の傾斜角度より玉自身が斜め上方に僅かに上向いた方向に浮き上がり移動しようとする。このときに、玉が自重に抗した動きになるため、玉が玉浮き上がり部を通過するときは玉に掛かる流下圧を低減させて一定の流下速度で流下させることになる。このため、整列通路の下流側では玉圧を低減させて玉の間隔が空かない安定した流れを確保することができる。この結果、玉圧に起因する玉詰りを解消できるほか、下流側への円滑な玉の受け渡しができる。例えば、下流側に玉払出装置を接続した場合は、下流側の玉払出装置に玉間を空けることなく供給することが可能になり、玉を供給するタイミングとスプロケットの送り爪による送りタイミングがずれないため玉の空送りが生じず、さらに供給された玉とスプロケットの送り爪との噛み込みが発生しないため玉詰りも発生せず、特に玉払出装置の払い出しの高速化を図る場合に適している。また、規則正しい安定した玉の供給を実現できるため玉払出装置の制御を簡素化することができる。
【００１１】
さらに、玉浮き上がり部の溝幅や絞り角度次第で、任意に玉の浮き上がり傾斜角度を変化させて玉圧を調整することができる。このため、払出速度などの遊技機の仕様に応じて玉の浮き上がり傾斜角度を調整することができ、玉の流れが速い遊技機や玉の流れが遅い遊技機などの幅広い遊技機の仕様に対応させることができる。また、玉圧の調整に際しては、長溝の幅の設定と絞り角度の設定という２つの設定条件を用いて整列通路内での玉圧を調整できるため、調整度が高いという利点もある。
【００１２】
この発明の別の構成では、通路底面の幅方向中央部以外にも長溝を形成することができる。例えば、傾斜通路の底面と該底面に隣接する一側面との間を開口して長溝を構成することができる。
【００１３】
この発明によると、凹形状の通路の側面壁の下端と底面との間を通路方向に沿って開口する長溝に設けることができ、幅方向の任意の位置を開口して長溝を形成できる。特に、この場合は異物排除用に幅広に開口した溝幅に設け、これを排除口として設けることもできる。
【００１４】
この場合も長溝の下流側端部には先細に絞った玉浮き上がり部を設けて、同様に玉を浮き上がらせて流下する玉圧を低減させることができる。この長溝に導かれた玉は、側面壁の下端と底面との両開口縁部に２点で線接触するため、玉は長溝に流下ガイドされながら安定して流下する。特に、溝の幅を大きくとって大きく開口できるため異物排除性能を高めて、より多くの異物を排除することができる。
【００１５】
この発明の別の構成では、前記長溝は傾斜通路の底面を異物落下兼用に開口して構成することができる。
【００１６】
この発明によると、長溝を異物排除用に開口した排除口に兼用できるため、玉流下時の整列ガイド作用だけでなく、玉に付着して混入した塵埃、金属粉などの異物は長溝と対応したときに、この溝間の空間部より下方に落下させて排除することができる。このため、異物は整列通路内に残らず、後続玉の妨げになるのを防ぐことができる。ことに、長溝は異物排除用の排除口と兼ねることができるほか、整列通路内の短い距離に効率よく玉流下時の減圧構造を設けることができる。
【００１７】
この発明の別の構成では、多数個の玉を積層状態に貯留する貯留空間を有し、その傾斜下流側に向けて次第に幅狭にしたタンク部と、該タンク部の下流側に前記絞込み通路を介して接続される凹形状の整列通路とを同一傾斜面上に備えた貯留タンクであって、前記整列通路の底面に、該底面上を転動する玉の球面を僅かに沈み込ませる幅で且つ、傾斜方向に沿って長く開口した流下ガイド用の長溝を形成し、この長溝の下流側端部には溝の幅を先細に絞った玉浮き上がり部を形成したことを特徴とする。
【００１８】
この発明によると、タンク部から自重により転動して整列通路へと導かれた玉は長溝に２点で線接触ガイドされて流下し、このとき貯留タンク内に異物が混入しても、その下流側の整列通路に移動した時点で、異物は長溝より落下して整列通路内に残らず、自然に排除される。このため、整列通路に玉を整列させて通過させたときは、常に玉のみを通過させて、後続玉の妨げになるのを防ぐことができる。それゆえ、異物の混入による玉詰りを確実に回避することができる。
【００１９】
このように、タンク部の下流側に整列通路を接続すれば、上流側のタンク部に貯留されている積層状態の多数個の玉を整列通路に導いたときは、この整列通路の短い距離で異物を排除しながら所望の玉圧にして流下させることができる。
【００２０】
この発明の別の構成では、積層状態で流下する上層玉の重なりを崩す玉重なり制限部材を、整列通路の玉浮き上がり部と対応する上方に対設した貯留タンクを設けたことを特徴とする。
【００２１】
この発明によると、玉浮き上がり部は玉圧を軽減させることができるため、上流側の貯留タンクからの過度の玉圧が掛かることによる玉詰りの発生を削減することができる。ことに、玉浮き上がり部と玉崩し機構とを対設させれば、玉浮き上がり部による玉圧減少効果と、玉崩し作用による玉崩し効果とで最も効果的に玉詰りの発生原因を解消できる。
【００２２】
このように構成された貯留タンクを、遊技台の盤面裏側に備えられる玉払出装置と一体的に連結した玉ホッパーを構成すれば、貯留タンクと玉払出装置とが一体化しているため、この玉ホッパーを単一の部品として遊技台の盤面裏側に簡単に取付けることができる。さらに、玉ホッパーを遊技機に組込めば、信頼性の高い安定した玉払い出し性能を有する遊技機を構築することができる。
【発明の効果】
【００２３】
この発明によれば、整列通路に導かれた玉を浮き沈みさせて通過させることにより、上流側からの過度の玉圧を軽減して玉を滑らかに途切れることなく整列して流下させることができる。このため、玉詰りを解消した信頼性の高い通路を確保できる。
【実施例】
【００２４】
この発明の一実施例を以下の図面に基づいて説明する。  
図１はパチンコ遊技機の遊技台１１の盤面裏側を示し、この遊技台１１の盤面裏側の上部に玉ホッパー１２を配設し、盤面裏側の中央部に大型の表示装置や制御部等を備えた基板部１３を配設している。さらに、玉ホッパー１２の上面開口部と対向する上方には図示しない補給シュートが対設され、この補給シュートを介して玉ホッパー１２に上方から玉が補給される。また、玉ホッパー１２の下方には払出通路１４が接続され、この払出通路１４を通して玉は遊技台１１の前面下部に位置する受皿へと払い出される。
【００２５】
前記玉ホッパー１２は、図２にも示すように、横型に設置される貯留タンク１５と縦型に設置される玉払出装置１６とを逆Ｌ形状に一体に接続している。そして、横長の貯留タンク１５の下流側端部に玉払出装置１６の上端部を連結することにより、双方を一体化したコンパクトな単体構成をとっている。
【００２６】
さらに、玉ホッパー１２は、図３および図４に示すように、貯留タンク１５を最上流位置とし、その下流側に天板１７と、玉崩し機構１８と、玉通過規制機構１９と、玉払出装置１６とをこの順に接続している。さらに、玉払出装置１６と対応する遊技台１１の取付け面側には縦長の連結フレーム２０を取付け、この連結フレーム２０を介して該玉ホッパー１２は遊技台１１の盤面裏側に固定設置される。
【００２７】
次に、玉ホッパー１２を構築する上述の構成部材１５〜２０について順に説明する。  
先ず、貯留タンク１５は、図５に示すように、上面を開放した先細の凹形状を有し、この幅広部分をタンク部１５ａとし、このタンク部１５ａの上面開放部に対して図示しない上方の補給シュートから玉が補給され、ここで多数個の玉を貯留する。このタンク部１５ａに貯留された玉Ｐを自重により転動させて上流側から下流側へと導くように構成している。
【００２８】
上流側に設置される貯留タンク１５内のタンク部１５ａの底面から下流側に玉を払い出す底面にかけては、ほぼ同一傾斜方向に緩やかに傾斜させて直進する長い同一傾斜通路Ｌ(図４参照)に設けている。このため、玉が自重により上流側から下流側へと緩やかに転動する。
【００２９】
この場合、玉Ｐを上流側から下流側に円滑に通過させるために貯留タンク１５の下流側には整列通路２１を形成している。この整列通路２１は貯留タンク１５の下流側の先端部に細長い整列用の通路を一体に突出させて構成している。
【００３０】
次に、整列通路２１について具体的に説明する。  
前記貯留タンク１５の下流側の先端部には、該貯留タンク１５に貯留された積層状態に貯留されている玉Ｐを少しずつ整列させて流下させるように先端部の左右の両壁を先細に絞り、その絞った細長い通路を前方に長く延設し、この延設部分を整列通路２１に設けている。
【００３１】
この整列通路２１は、左右の側壁面３１，３２とその間の仕切板２２とで左右に並列する２列の長い凹形状の左通路２３と右通路２４との両通路２３，２４を構成している。
【００３２】
さらに、両通路２３，２４の底部には、図６に示すように、異物排除用に該通路に沿って細長い溝状に開口した左右の排除口２５，２６をそれぞれ有している。  
前記排除口２５，２６は、各通路２３，２４の幅方向中央部に通路方向に沿ってそれぞれ細長く開口した長溝を貫通して形成したものであり、さらにその長溝の下流側端部には、図７にも示すように、下流側に向けて溝の幅を先細に絞った玉浮き上がり部２７，２８を形成している。
【００３３】
この場合、排除口２５，２６の溝は、図８および図９に示すように、ここに導かれた玉Ｐの底面である球面中央部を僅かに沈み込ませる程度の溝を有している。これにより、玉Ｐの底面は排除口２５，２６内に僅かに沈み込みながらガイドされ、玉Ｐの底面は排除口２５，２６の開口した溝両側に平行する両角部に２点接触して安定して玉を流下させることができる。仮に、通路の底面に排除口２５，２６が無い平面の場合だと玉Ｐは球面であるため１点接触になり、通路２３，２４幅内で左右に動いて不安定に流下することになる。
【００３４】
前記玉浮き上がり部２７，２８は、図１０に示すように、排除口２５，２６の先端部を溝幅の間隔から鋭角の三角形状に絞っているため、ここを通過する玉Ｐは溝の幅が狭くなるに連れて僅かに沈み込んでいた玉Ｐは図１１および図１２に示すように、下流に行くに従って、次第に溝から浮き上がってくるかの如く流下する。
【００３５】
この浮き上がり通過するときに、図１３に矢印で示すように、斜め下方の傾斜方向Ｐ１の傾斜角度より玉自身が斜め上方に僅かに上向いた方向Ｐ２に流下しようとする。このときに、玉Ｐが自重に抗した方向に移動するため、玉浮き上がり部２７，２８を通過するときに玉の流下圧を減少させることになる。
【００３６】
ここで、両通路２３，２４の傾斜角度は、玉の転がり速度、通路の長さおよび下流側への玉の供給を考慮して決められた適正値、例えば９゜としている。これらの両通路２３，２４の底面に排除口２５，２６として開口されている長溝の溝の幅を設定する場合、後段の玉浮き上がり部２７，２８との対応をとって設定するものである。例えば、直径１１ｍｍの玉を用いた場合は、玉浮き上がり作用を考慮して、この玉を０．４ｍｍ程度沈み込ませる溝の幅に設定するのが最も適している。一般に、通路の傾斜角度は５〜１０数°で形成されるが、ゆるやかな傾斜角度、例えば傾斜角度に５°を用いた場合は沈み込ませる量を０．４ｍｍより小さくすることにより安定して流下する。
【００３７】
このように通路２３，２４の下流側終端部の底面に玉浮き上がり部２７，２８を設けることによって、該通路２３，２４の下流終端部で玉圧を減少させることができる。このため、玉圧に起因する玉詰まりの回避性能が向上するほか、下流側への円滑な玉の受け渡しができる。
【００３８】
さらに、玉浮き上がり部２７，２８は玉圧を軽減させることができるため、上流側の貯留タンク１５からの過度の玉圧がかかることによる玉詰まり発生等の不具合を削減することができる。ことに、下流側に位置する後述する玉崩し機構と対設させれば、玉崩し作用による玉崩し効果と、玉浮き上がり部２７，２８による玉圧減少効果とで最も効果的に玉詰まりの発生要素を解消できることになる。
【００３９】
また、玉浮き上がり部２７、２８の溝の幅や絞り角度次第で、任意に玉の浮き上がり傾斜角度を変化させることができる。例えば、図１４(Ａ)に示すように、絞り角度を２０度程度に設定した場合では、図１４(Ｂ)に示すように、玉Ｐの浮き上がり傾斜角度を２度程度上向きに変化させることができる。また、図１５(Ａ)に示すように、絞り角度を３０度程度に設定した場合では、図１５(Ｂ)に示すように、玉Ｐの浮き上がり傾斜角度を３．１度程度上向きに変化させることができる。
【００４０】
このため、払出速度などの遊技機の仕様に応じて玉の浮き上がり傾斜角度を調整することができ、玉浮き上がり部２７，２８の絞り角度を小さくする程、通路２３，２４の傾斜角度に対して玉の浮き上がり傾斜角度を緩やかにして減圧させることができる。このため、玉の流れが速い遊技機や玉の流れが遅い遊技機などの幅広い遊技機仕様に対応させることができる。通常、傾斜通路の基本傾斜角度は玉の転がり性質上４度以上必要であるため、その基本傾斜角度の範囲で構成すればよい。
【００４１】
玉圧を軽減させる手段として、異物排除用の排除口２５，２６と兼ねることができるため効率よく玉流下時の減圧構造を設けることができる。また、排除口２５，２６の溝の幅や絞り角度という２つの設定条件で調整ができるため、調整度が高いという利点もある。
【００４２】
従って、貯留タンク１６内に異物が混入しても、その下流側の整列通路２１に移動した時点で、異物は排除口２５，２６より落下して整列通路２１内に残らず、自然に排除される。このため、整列通路２１に玉Ｐを整列させて通過させたときは、常に玉Ｐのみを通過させて、異物の混入による玉詰りを確実に回避する。また、玉Ｐは排除口２５，２６にガイドされて流下し、玉浮き上がり部２７，２８によって玉の流下圧が減圧されて安定して流下する。
【００４３】
このほか、異物排除用の排除口としては、図１６〜図１８に示すように、左右に並列する凹形状の通路２９，３０の側面壁３１，３２の下端と底面３３，３４との間をそれぞれ異物排除用の溝に開口した幅広の排除口３５，３６にして設けることもできる。
【００４４】
この場合も排除口３５，３６の下流側端部には先細に絞った玉浮き上がり部３５ａ，３５ｂを設けて、同様に流下する玉圧を減圧させるように設ける。この幅広の排除口３５，３６に導かれた玉Ｐは、側面壁３１，３２の下端と底面３３，３４との両開口縁部に２点接触しながら安定して流下する。特に、溝の幅を大きくとれるため、異物排除性能を高めて、より多くの異物を排除することができる。
【００４５】
前記幅広のタンク部１５ａと幅狭の整列通路２１との接続部分は、図５および図６に示すように、両側の側壁面を次第に絞って接続した三角形状の絞込み通路３７を有している。この絞込み通路３７の絞った両側の側壁面は通路方向に対する左右の傾斜開始位置を若干ずらして形成している。これらの側壁面３７ａ，３７ｂの傾斜開始位置を若干ずらせることによって、タンク部１５ａ内での玉Ｐの流下方向を中央部の一箇所に集中させず、分散させながら下流側に流下させることができる。
【００４６】
次に、天板１７について説明する。  
この天板１７は絞込み通路３７での玉の流れの安定化を図るために該天板１７(図３参照)を絞込み通路３７の上方に取付けている。この天板１７の形状は、絞込み通路３７の絞込み形状と同形状を有しており、絞込み通路３７の上面を覆って配設している。
【００４７】
この天板１７の上流面側には、図１９に示すように、流下方向に直交する垂直な受止め面３８を有している。これにより、貯留タンク１５から重なり移動する玉Ｐの上層部を受止めて、山積み状態にある玉Ｐの上層部の流れを阻止する役目を有している。このため、下層部の玉Ｐだけを流下させることができ、これ以降は玉数を適量に減らして下流側に少量ずつ供給することができる。このため、下流側への玉圧を軽減して、貯留タンク１５から整列通路２１側への玉Ｐの供給に適した円滑な流れを確保できる。
【００４８】
また、天板１７を設けたことにより、貯留タンク１５に供給された玉Ｐが仮に勢いよく飛び跳ねて整列通路２１に至っても、該天板１７で遮って飛び込まなくなるので玉詰りを誘起することもない。
【００４９】
さらに、天板１７の下面には、図２０に示すように、上流側から流下してきた玉が絞込み通路３７に集中するのを回避させるために玉Ｐと同等の大きさを有する半球面突部３９を下向きに突出させている。
【００５０】
この半球面突部３９は下方に並列する２通路２３，２４に１個ずつ対応させて計２個突出させ、さらに絞込み通路３７の左右の側壁面３７ａ，３７ｂの傾斜開始位置を異ならせているため、これらに合せた上流側の突出位置と下流側の突出位置に分けて配設している。
【００５１】
前記半球面突部３９は半球面形状にすることにより、玉Ｐとの接触時に互いの球面同士が接触して各通路２３，２４の幅方向中心を避けた任意の方向に自由に移動させることができ、玉の分散化を促進して円滑な流下作用を高めることができる。また、玉の円滑な移動が得られるのは玉とほぼ同じ曲率の球面にするか、もしくは玉の曲率より少し大きい曲率の球面にするのが玉の方向変換角度が広くとれるので適している。また、突出形状は半球面に限らず、これに近似する半楕円曲面などの形状であってもよい。
【００５２】
このため、上流側の貯留タンク１５から流下してきた玉Ｐを、図２１に示すように、左右に分散させて玉の集中化を崩し、上流側からの玉圧を軽減させて整列しやすくしている。また、半球面突部３９によって一度、分散された玉Ｐは、その下流側で再び集合して流下する。また、この半球面突部３９を絞込み通路３７の上方に対向させることによって、通路の上下左右をガイドして絞込み通路３７の左右両側から通路の中央部へと絞り込まれる玉Ｐを集合させやすくなる。
【００５３】
この半球面突部３９の有効性を明確にするため、半球面突部３９が有る場合と無い場合とを比較してみると、半球面突部３９が無い場合は、絞込み通路３７の位置で玉を整列しやすくするため、整列通路２１と天板１７との間の高さを低くして玉の流下量をある程度減らすことになる。ところが、流下量を減らし過ぎると、玉圧が高まり、絞込み通路３７で玉が詰まってしまうことがある。逆に、整列通路２１と天板１７との間を高くしてしまうと、流下量が多くなり、下流側の整列通路２１では整列し難くなってしまう。
【００５４】
このほか、半球面突部３９に代えて例えば、図２２に示すように、平面部で形成される長方形突部４０を突出した場合は、玉Ｐを左右に分散できるものの下流側で再び集合する際に、長方形突部４０の側面部分に玉が当接して玉の動きが阻害され、玉を集合させ難くなり、結果的に整列を妨げることになる。
【００５５】
このように絞込み通路３７の空間部に向けて上方より突出させる半球面突部３９の突部形状は平面部のない球面の突部を突出させることで個々の玉の分散化を促進して玉詰りを回避するものである。前記半球面突部３９は１通路に１個対応させて配設したものを示したが、１通路に複数個対応させて配設してもよい。
【００５６】
次に、玉崩し機構１８について説明する。  
この玉崩し機構１８は、図３および図２３に示すように、整列通路２１の下流側の幅方向に３枚１組の軸支ブロック４１ａ，４１ｂ，４１ｃを重ね合せて連設し、これらの軸支ブロック４１ａ〜４１ｃ間に架設した軸支ピン４２に左右一対の同形状の玉崩しレバー４３を平行してそれぞれ吊支し、軸支ピン４２を傾動支点に該玉崩しレバー４３を通路方向に振り子状に回動許容して設けている。
【００５７】
前記玉崩しレバー４３は、図２４に示すように、全体を樹脂で構成し、その下流側の端部に重い金属体４３ａを埋め込んで一端に軸支孔４３ｂを吊支した上流側に対向する下面を玉崩し接触面として、さらに２段階に傾斜させて設けている。このうち、傾斜方向の上流側には急傾斜する第１傾斜面４３ｃを、これに続く傾斜方向の下流側には緩傾斜する第２傾斜面４３ｄを形成している。
【００５８】
図２５は玉崩しレバー４３の下面側のみを軸支ブロック４１ａ〜４１ｃの下方に突出させた取付け状態を示し、整列通路２１の２列の通路２３，２４に玉崩しレバー４３を１枚ずつ対応させて吊支している。
【００５９】
この玉崩しレバー４３よりさらに前段に位置する軸支ブロック４１ａ〜４１ｃの下面には、整列通路２１の上方に位置して予備的に高さ方向の玉崩しを行う前崩し傾斜面４４を設けている。
【００６０】
この前崩し傾斜面４４は整列通路２１の通路方向に対し、互い違いで玉２個半分の高さに流下ガイドして玉崩しレバー４３の前段で予め上面を玉崩しするガイド機能を有している。このため、玉が下流に転動するに従って高さ方向が規則正しい千鳥状配列で流下するように玉２個分の高さになる傾斜角度を有している。このように、高さ方向は互い違いの千鳥状で２個以上の高さに重ならないように規制している。また、高さ方向を２列にするだけでなく、幅方向も２通路２３，２４にすることにより上流側からの玉の供給不足を解消している。
【００６１】
この前崩し傾斜面４４の直後に位置する玉崩しレバー４３の下面に形成される傾斜面のうち、第１傾斜面４３ｃは該玉崩しレバー４３が最上方に回動した際に、前崩し傾斜面４４の傾斜角度と同じ傾斜角度になるように上向きに回動させて、ここに導かれた玉が規則正しい千鳥状配列で流下するように規制している。第２傾斜面４３ｄにおいては、玉崩しレバー４３が最下方に回動した際(玉非接触状態のとき)に、該第２傾斜面４３ｄの最下面が玉１個半の高さ位置になるように設定して上層玉に確実に接触させて千鳥状配列させる玉崩し力を持たせている。また、玉崩しレバー４３の吊支作用によって、該レバー４３の両傾斜面４３ｃ，４３ｄが金属体４３ａの重さで下方向に荷重が加わりやすい形状に構成している。
【００６２】
図２６(Ａ)は玉崩しレバー４３の待機状態を示し、この玉崩しレバー４３が玉Ｐとの非接触の待機状態では上流側に対向する該レバー４３の前端面が前崩し傾斜面４４の下流側の端面に相当する係止片４５に当って静止している。
【００６３】
図２６(Ｂ)は玉崩しレバー４３の初期接触状態を示し、整列通路２１を玉２個分の高さで千鳥状に送られて来た上層玉と下層玉のうち、上層玉に第１傾斜面４３ｃが接触して流下抵抗を与える。これにより、上流側の貯留タンク１５から加わる上層玉の玉圧が減圧される。
【００６４】
図２６(Ｃ)は初期玉崩し状態を示し、第２傾斜面４３ｄの始端側が上層玉の頂部に点接触して玉崩しレバー４３が押し上げられつつ、該玉崩しレバー４３の荷重を上層玉に与えて玉崩し作用を行う。
【００６５】
さらに、玉が下流に転動して行くと、図２６(Ｄ)に示すように、第２傾斜面４３ｄの終端側が玉Ｐに点接触して玉崩しレバー４３を最も押し上げた状態になる。このとき、玉崩しレバー４３に働く下方向の荷重によって、玉の重なりを崩し、上流側から加わる玉圧を減圧する玉崩し作用が得られる。これにより、玉Ｐは整列通路２１を上流から下流へと転動するにつれて高さ方向に、互い違いの千鳥状に整列させることができる。
【００６６】
玉崩しレバー４３により玉崩しされた玉は同一傾斜通路Ｌの傾斜方向から下向きへと湾曲して千鳥状配列のまま降下ガイドする湾曲ガイド部４６へと移動する。この湾曲ガイド部４６の下方には通路別に玉を１個出しする各玉流下口４７を開口しており、各玉流下口４７より玉Ｐは左右の通路２３，２４から１個ずつ放出される。玉流下口４７より降下した玉Ｐは、下方に接続される玉払出装置１６へと供給される。
【００６７】
ここでは、玉崩しレバー４３の全体を樹脂で構成し、その下流側の端部に重い金属体４３ａを埋め込んで構成した一例を示したが、全体を金属製にした玉崩しレバーを用いてもよく、いずれも下流側に荷重が集中するバランスをとって構成する。
【００６８】
次に、玉通過規制機構１９について説明する。  
この玉通過規制機構１９は連結フレーム２０に(図３参照)取付けられ、該連結フレーム２０の垂直面より水平にアーム支持軸４８を突出させ、このアーム支持軸４８に玉通過規制アーム４９と玉通過規制バネ５０とを挿通させて軸支している。
【００６９】
前記玉通過規制バネ５０はコイルバネを用い、その一端を玉通過規制アーム４９に引っ掛けて係止し、他端を連結フレーム２０側に設けた突起部５１に引っ掛けて係止した状態で、前記玉通過規制アーム４９の上部に開口する軸支孔をアーム支持軸４８に挿通し、その軸端部をネジ５２で固定している。これにより、玉通過規制アーム４９は玉通過規制バネ５０の付勢力を受けて玉流下口４７を閉鎖する方向に回動自由に付勢されている。
【００７０】
前記玉通過規制アーム４９はＬ形状に設けられ、図２７および図２８にも示すように、このＬ形状の上部が前記アーム支持軸４８に軸支され、このアーム支持軸４８を付勢基準位置にしてその下方の下端折曲片４９ａを、前記玉流下口４７を開口する開位置と閉鎖する閉位置との間を進退させて開閉可能に設けている。
【００７１】
この玉通過規制アーム４９の開閉動作は玉払出装置１６を連結フレーム２０に取付けている通常状態では、図２９に示すように、玉払出装置１６の上面に突出する上部係止突片５３の端面に玉通過規制アーム４９の下面に突出する下部係止突片５４が係止されて付勢規制され、図３０に示すように、下端折曲部４９ａが少し退避した位置に待機して玉流下口４７を開放している。このため、玉流下口４７より降下して導かれた玉を、これより下方の玉払出装置１６へと流下許容した状態にある。
【００７２】
これに対し、玉止めするときは、玉払出装置１６の取外しに連動させて玉止めする構成をとっている。つまり、玉払出装置１６を取外すと、玉払出装置１６の上部係止突片５３に係止されていた玉通過規制アーム４９の下部係止突片５４が玉通過規制バネ５０の付勢力に抗して外れ、玉通過規制アーム４９は玉通過規制バネ５０の付勢力を受けて閉鎖方向に押され、下端折曲部４９ａが玉流下口４７を閉鎖する。これにより、貯留タンク１５と玉払出装置１６との境を仕切ることになり、貯留タンク１５から玉が流下するのを直ちに止めることになる。
【００７３】
このように、玉払出装置１６を着脱することに連動して、払出用と払出規制用とに自然に切換えることができる。通常は玉通過規制機構１９を開放して、貯留タンク１５から下方の玉払出装置１６へと玉の通過を許容して、玉を払出許可状態に待機させておく。そして、例えばメンテナンスや玉詰り発生のために玉払出装置１６を遊技台１１の盤面裏側から取外すときは、その取外し操作に連動して玉止めすることができる。このため、貯留タンク１５と玉払出装置１６との接続部分での玉漏れのおそれもない。
【００７４】
ことに、玉払出装置１６を取外してメンテナンスする際に玉止めを必要とするが、その場合に新たに係員操作用の玉通過規制機構を構築しなくても済み、また切換え操作が自動化して係員操作の手間が省ける。
【００７５】
図３１〜図３４は連結フレーム２０に着脱される玉払出装置１６の着脱機構５５を示し、玉払出装置１６は外周面に一体的に形成されたケーシング５６を有し、このケーシング５６の左右両側の上部には、図３１および図３２に示すように、それぞれ壁面の一部を切欠いて弾性を持たせた弾性係合片５７を有し、下部には下向きコの字型の取付け突片５８を有しており、連結フレーム２０の左右両側の上部には玉払出装置１６の前記弾性係合片５７に対応する位置にそれぞれ固定係合部５９を有し、下部には玉払出装置１６の取付け突片５８に対応する位置にそれぞれ取付け凹部６０を有している。
【００７６】
また、連結フレーム２０の上部には、図３３に示すように、壁面の一部を切欠いて弾性を持たせ左右の位置に弾性係止片６１を有している。これによって、玉払出装置１６を連結フレーム２０に取付けるときは、先ず連結フレーム２０の取付け凹部６０に取付け片５８を引っ掛けて、玉払出装置１６の弾性係合片５７と連結フレーム２０の固定係合部５９とを係合させることによって、玉払出装置１６を連結フレーム２０に固定することができる。
【００７７】
また、連結フレーム２０の上部にある弾性係止片６１によって、玉払出装置１６を連結フレーム２０に固定した際に玉払出装置１６の背面に向かって弾性力で弾性係止片６１が押えつけるため、ガタツキのない状態に固定させることができる。
【００７８】
逆に、玉払出装置１６を連結フレーム２０から取外すときは、図３４に示すように、玉払出装置１６の左右両側の側面に設けている弾性係合片５７を指で内側へ押えつけながら手前に倒して係合を外し、それから玉払出装置１６を上方へ引き抜くことにより、取付け片５８が取付け凹部６０から外れて簡単に取り外すことができる。
【００７９】
このように玉払出装置１６をワンタッチで着脱できる構成のため、保守点検などのメンテナンスを行う場合には、遊技台１１から玉払出装置１６を簡単に取外してメンテナンス作業ができる。
【００８０】
前記連結フレーム２０は、貯留タンク１５と玉払出装置１６との双方を一体に連結して玉ホッパー１２を構築する連結部材としての役目を有し、またこの連結フレーム２０を介して玉ホッパー１２を遊技台の盤面裏側に一体に取付ける役目を有している。
【００８１】
次に、玉払出装置１６について説明する。  
この玉払出装置１６は、図３５〜図３７に示すように、スプロケット６２と、駆動モータＭと、玉有無検知センサＳ１と、玉計数センサＳ２と、スプロケット６２の回転位置を確認する回転位置検知センサＳ３と、これらを内蔵するケーシング５６と、その側面カバー６３と、ケーシング５６と側面カバー６３の間にある流下通路を兼ねた固定板６４と、ケーシング５６の外側に位置する補助カバー６５とから構成される。
【００８２】
前記ケーシング５６は玉払出装置１６の各構成部材を支持する支持壁５６Ａとしての役割と、内部で玉の通路を構成する通路壁５６Ｂとしての役割を持たせている。このうち、通路壁５６Ｂにより形成される通路の上部には待機通路７３ａ，７３ｂを、下部には環状通路７７を有し、これらの通路７３ａ，７３ｂ、７７を上下にそれぞれ連通させて配設している。
【００８３】
そして、待機通路７３ａ，７３ｂの上端開口部を玉供給口７６として開口し、下端開口部を環状連通口７７ｃとして下方の環状通路７７の真上に開口する入口部分として接続している。一方、環状通路７７は真上に開口する環状連通口７７ｃを入口とし、下端中央部に開口する玉払出口７８を出口としている。
【００８４】
上述のスプロケット６２は筒状体を有し、この筒状体の外周面の軸方向には、両側に玉を１個ずつ区切って回転送りするための送り爪６６を周方向に等分配設してなる２連の並列する送り部を有している。また、２連の並列する送り部の送り爪６６は半ピッチずらして形成している。
【００８５】
このスプロケット６２の内周面の環状方向には、等分して切り欠き形成された回転位置検知用のスリット６７を配設している。さらに、スプロケット６２の両側には、その軸心部より外向きに突出する筒状軸６２ａ，６２ｂを突設し、これらの筒状軸６２ａ，６２ｂに軸受ブッシュ６８，６９をそれぞれ嵌合させた状態で、片方は側面カバー６３の軸支孔６３ａに挿通し、もう一方はケーシング５６の軸支孔５６ａに挿通してスプロケット６２を回転自由に軸支している。そして、ケーシング５６の外側には、駆動モータＭの主軸に連結された駆動プーリ７０から駆動ベルト７１を介してスプロケット６２に動力伝達するための従動プーリ７２を配設している。この従動プーリ７２とスプロケット６２とを一体に連結してスプロケット６２は回転される。
【００８６】
さらに、ケーシング５６の外側には、前記した駆動伝達部材としての駆動プーリ７０と、駆動ベルト７１と、従動プーリ７２との全体を覆う補助カバー６５を配設している。
【００８７】
このケーシング５６外側面の上部垂直方向の側面と下部周方向の側面には、後述する待機通路および環状通路からの異物排除用に開口した排除口５６ｂ，５６ｃを有している。これらの排除口５６ｂ，５６ｃを設けることにより異物は排除口５６ｂ，５６ｃより落下して排除される。
【００８８】
一方、ケーシング５６の内側面には、前記駆動モータＭと両側に並列する縦向きの通路を形成するための固定板６４と、さらにその内側面の対向位置にはスプロケット６２を支持した側面カバー６３で覆って連結している。また、この側面カバー６３の外側面の上部垂直方向と下部周方向にも異物排除用の排除口６３ｂ，６３ｃを開口している。
【００８９】
前記ケーシング５６の中央部には駆動モータ介在用に四角形状に開口した中空部５６ｄを有し、この中空部５６ｄに駆動モータＭを横貫状態に軸支して該駆動モータＭをケーシング５６と側面カバー６３との間に収納させることによりケーシング５６と駆動モータＭとは軸方向に重合配置される。これにより、玉払出装置１６の軸方向(幅方向)を短縮して薄型化を図っている。同様に駆動モータＭとスプロケット６２を上下位置に分けて同一ケーシング５６内に収納することにより、玉払出装置１６の薄型化を図っている。
【００９０】
このケーシング５６の上方の内側面とこれに対向する固定板６４の上方の対向面との間、側面カバー６３の上方の内側面とこれに対向する固定板６４の上方の対向面間に、後述する上方の玉供給口７６から下方の環状通路７７までを並列して結ぶ待機通路７３ａ，７３ｂを構成している。
【００９１】
前記待機通路７３ａ，７３ｂは図３８にも示すように、上流側の方向変換通路７４と、下流側の玉流下圧制限通路７５とを上下に接続して形成される。先ず、方向変換通路７４はケーシング５６の上部に並列して開口する玉供給口７６を有し、この玉供給口７６が整列通路２１の玉流下口４７の下方に対応して接続される。この接続した並列通路の下方の方向変換に際しては、前後に並列する一方の縦通路を基準に他方の縦通路だけを横並び位置に９０度ひねって並列させればよく簡単に構成できる。これにより、両縦通路は縦並び位置から横並び位置に向きを変えて揃えられる。そして、この玉供給口７６の下方に前後２列に流下してきた玉を左右２列の向きに方向変換している。この方向変換通路７４を設けることによって後述する環状通路７７とを同並列方向に揃えることができるため、両通路の向きを省スペース化に適した向きに対応させることができる。
【００９２】
下流側の玉流下圧制限通路７５は前記方向変換通路７４に続く斜め下方に玉の流下による玉圧を波形状の段差により軽減させる小刻みな湾曲通路を形成している。これにより、上流側から流下してきた玉が玉流下圧制限通路７５を通過するときに、この玉流下圧制限通路７５の波形状の湾曲部分を通過する玉は小刻みな方向変換作用を受けながら通過し、これに基づいて玉は流下に適した玉圧に制限されて流下することになる。この結果、後段の下方に続く環状通路７７へは払い出しに適した玉圧に調整されて供給される。
【００９３】
さらに、待機通路７３ａ，７３ｂの通路長さは縦方向および斜め方向の通路内に予め設定された払出個数を貯留待機させる通路長さを有している。このため、予め纏まった玉数を待機通路に貯留待機させることができるため、玉払出時に環状通路７７に供給される玉が途切れることがなく、纏まった払出個数を直ちに供給することができる。このため、玉の供給が安定して高速の払出しを促進できる。
【００９４】
前記待機通路７３ａ，７３ｂの下方には同並列方向に揃えて接続される２流路の環状通路７７を構成している。この環状通路７７はケーシング５６の下方の内周面とスプロケット６２の外周面との間に形成される環状対向面間の通路空間であり、ここに導かれた玉を１個ずつ送り爪６６で正転または逆転して回転送りする環状の通路を構成している。
【００９５】
前記環状通路７７のうち、図３９に示すように、右半周は玉払出通路７７ａとして使用し、図４０に示すように、左半周は玉抜き通路７７ｂとして使用する。
【００９６】
そして、この環状通路７７に導かれた玉Ｐは１個ずつスプロケット６２の回転に伴って送り動作されるため、供給された玉Ｐを途切れることなく連続的に払出動作する。
【００９７】
前記待機通路７３ａ，７３ｂの上面に開口する入口の玉供給口７６には玉の通過を検知する有接点スイッチを用いた玉有無検知センサＳ１を配設し、玉払出装置１６に玉が供給されたことを検知する。さらに、下方の環状通路７７の中央下面に玉払出通路７７ａの終端部として開口する出口の玉払出口７８には近接センサを用いた玉計数センサＳ２を配設し、環状通路７７を通って玉が払い出されたとき、この玉計数センサＳ２が払い出された玉を検知して計数する。
【００９８】
さらに、側面カバー６３の外面には、該側面カバー６３の下方に開口した側面開口部７９より内方に臨ませてスプロケット６２上のスリット６７を検知する回転位置検知センサＳ３をセンサ固定金具８０を介して配設している。この回転位置検知センサＳ３によりスプロケット６２と一体に回転する前記スリット６７の検知数からスプロケット６２の回転位置を検知する。
【００９９】
前記玉抜き通路７７ｂは、環状通路７７の玉抜き通路７７ｂ側の側方位置からほぼ真下に開口する玉抜き口８１を設けており、貯留タンク１５に貯留されている玉Ｐを係員が回収玉として回収するときに利用される。この場合、玉払出通路７７ａと、玉抜き通路７７ｂとを一体的に設けることができるため、玉抜き通路専用の独立した新たなスペースが不要になる。
【０１００】
ところで、玉払出口７８の開口位置を環状通路７７の下部中心位置に設けることにより、上方からスプロケット６２の回転力を受けて回転送りされる玉Ｐは周方向に半周分搬送されて、環状通路７７の最上部から最下部まで終始動力伝達して払い出すため、スプロケット６２を高速回転すれば、玉を高速に払い出すことができる。
【０１０１】
さらに、スプロケット６２を正転・逆転させることによって、一方の回転方向に伴う払出動作と他方の回転方向に伴う玉抜き動作を簡単に行うことができる。また、玉払出口７８に玉計数センサＳ２を配設しているため、速いタイミングで検知できる。
【０１０２】
また、上方の待機通路７３ａ，７３ｂの入口の玉供給口７６に玉有無検知センサＳ１を配設することによって、供給された玉の有無を検知できる。このため、玉が無いことを検知した場合は玉切れや玉詰りの発生と検知して空取り込みを防止することができる。従って、このときは玉の供給動作や払い出しを規制することができる。そして、これらの両センサＳ１，Ｓ２を備えることによって、玉の供給と払い出しとの両検知信号から玉払出装置１６での現時点の玉の流れを一層正確に管理することができる。図中、８２は中継基板、８３は従動プーリの軸受ブッシュである。
【０１０３】
このように、玉払い出しの高速化を実現するために供給から払い出しまで２流路に設けて上方からの玉の供給不足を解消し、さらに待機通路７３ａ，７３ｂを設けることによって、環状通路７７の直前に払い出して必要な玉数を直ちに供給可能に待機させることができる。従って、玉払出時には緩やかな傾斜通路ではなく、縦方向の待機通路内に高速供給に適した玉圧が加わった状態で待機させることができるため、玉を自重により比較的速く降下させて下方の環状通路７７に玉切れすることなく供給でき、高速化に応じた供給玉の対応がとれる。
【０１０４】
さらに、遊技台の盤面裏側に配設する場合に、比較的大きな配設スペースを要するスプロケット６２の径方向を盤面と直角の向きに配設させ、厚さ方向を盤面と平行させた向きに配設させることができるため、幅方向の配置スペースを小さくできる。この結果、遊技台の盤面裏側に配設される図柄表示装置などの他部材を大きく設けて配置することが可能になる。特に、玉払出装置の幅方向の短縮に際しては、並列する玉２個分の通路幅まで短縮して薄型化することができる。
【０１０５】
このように構成された玉ホッパー１２における玉の払出処理動作を次に説明する。  
遊技台１１の盤面裏側の上部に設置された玉ホッパー１２の貯留タンク１５には、多数個の玉が払出待機された状態に貯留されている。この待機状態から、今、パチンコ遊技機の全体を制御する図示しないメイン制御部から玉の払出信号が入力されて駆動モータＭおよびスプロケット６２が正転駆動（時計方向に回転駆動）されると、この駆動に基づいて貯留タンク１５内の玉は流下供給され、玉は自重により転動して整列通路２１を通って流下し、玉流下口４７へと至る。この間に玉は２列に整列されて下流側の玉払出装置１６へと導かれる。
【０１０６】
この玉払出装置１６では供給された玉Ｐをスプロケット６２の正転送り動作により環状通路７７の払出通路７７ａ側に正転送りする。これにより、玉は連続的に降下して定められた玉数が払い出される。そして、払い出された玉Ｐは遊技台前面側の上皿へと払い出される。
【０１０７】
次に、玉ホッパー１２内に存在する多数個の玉Ｐを玉抜きする場合は、メイン制御部から玉抜き信号が入力されて駆動モータＭを逆転駆動すると、玉払出装置１６の環状通路７７では予め貯留タンク１５から供給された玉Ｐをスプロケット６２の逆転送り動作により、玉抜き通路７７ｂ側に逆転送りする。その後は、玉抜き通路７７ｂを降下して下方に接続されている図示しない玉抜き用の回収通路から遊技台の盤面裏側に接続されている図示しない玉回収通路へと導かれる。
【０１０８】
この発明と、上述の実施例との対応において、この発明は請求項に記載される技術思想に基づいて応用することができ、上述の一実施例の構成のみに限定されるものではない。
【図面の簡単な説明】
【０１０９】
【図１】玉ホッパーを備えた遊技台の盤面裏側を示す要部背面図。
【図２】玉ホッパーを示す外観斜視図。
【図３】玉ホッパーの分解斜視図。
【図４】玉ホッパーの玉の流下状態を示す斜視図。
【図５】貯留タンクを示す外観斜視図。
【図６】貯留タンクを示す平面図。
【図７】整列通路の玉流下状態を示す要部拡大平面図。
【図８】整列通路の玉流下状態を示す要部拡大縦断面図。
【図９】整列通路の玉流下状態を示す要部拡大側面図。
【図１０】整列通路の玉浮き上がり状態を示す要部拡大平面図。
【図１１】整列通路の玉浮き上がり状態を示す要部拡大縦断面図。
【図１２】整列通路の玉浮き上がり状態を示す要部拡大側面図。
【図１３】玉浮き上がり原理を示す要部拡大説明図。
【図１４】玉浮き上がり条件の一例を示す説明図。
【図１５】玉浮き上がり条件の他の例を示す説明図。
【図１６】他の玉浮き上がり部の流下状態を示す要部拡大平面図。
【図１７】他の玉浮き上がり部の流下状態を示す要部拡大縦断面図。
【図１８】他の玉浮き上がり部の流下状態を示す要部拡大側面図。
【図１９】天板の玉受止め状態を示す玉ホッパーの要部縦断面図。
【図２０】玉絞込み部での玉分散化状態を示す貯留タンクの縦断面図。
【図２１】図２０のＡ−Ａ線矢視断面図。
【図２２】玉絞込み部での不適な玉分散化構造を示す貯留タンクの縦断面図。
【図２３】玉崩し機構の使用状態を示す要部縦断面図。
【図２４】玉崩しレバーの外観斜視図。
【図２５】玉崩し機構の外観斜視図。
【図２６】玉崩し機構の玉崩し状態を示す説明図。
【図２７】玉通過規制機構の玉通過規制状態を示す要部斜視図。
【図２８】玉通過規制機構の玉通過規制状態を下方から見た要部斜視図。
【図２９】玉払出装置の上部を示す要部拡大斜視図。
【図３０】玉通過規制機構の玉通過許容状態を示す拡大斜視図。
【図３１】玉払出装置の着脱機構を示す縦断面図。
【図３２】図３１のＡ−Ａ線矢視断面図。
【図３３】図３１のＢ−Ｂ線矢視断面図。
【図３４】玉払出装置の取外し状態を示す斜視図。
【図３５】玉払出装置の外観斜視図。
【図３６】玉払出装置の正面側から見た分解斜視図。
【図３７】玉払出装置の背面側から見た分解斜視図。
【図３８】玉払出装置の通路構造を示す縦断面図。
【図３９】玉払出装置の玉払出動作状態を示す縦断面図。
【図４０】玉払出装置の玉抜き動作状態を示す縦断面図。
【符号の説明】
【０１１０】
１１…遊技台
１２…玉ホッパー
１５…貯留タンク
１５ａ…タンク部
１６…玉払出装置
１８…玉崩し機構
２１…整列通路
２５，２６、３５，３６…排除口
２７，２８、３５ａ，３６ａ…玉浮き上がり部
３１，３２…側面壁
３７…絞込み通路
【図１】
2006101897.tif 000003
【図２】
2006101897.tif 000004
【図３】
2006101897.tif 000005
【図４】
2006101897.tif 000006
【図５】
2006101897.tif 000007
【図６】
2006101897.tif 000008
【図７】
2006101897.tif 000009
【図８】
2006101897.tif 000010
【図９】
2006101897.tif 000011
【図１０】
2006101897.tif 000012
【図１１】
2006101897.tif 000013
【図１２】
2006101897.tif 000014
【図１３】
2006101897.tif 000015
【図１４】
2006101897.tif 000016
【図１５】
2006101897.tif 000017
【図１６】
2006101897.tif 000018
【図１７】
2006101897.tif 000019
【図１８】
2006101897.tif 000020
【図１９】
2006101897.tif 000021
【図２０】
2006101897.tif 000022
【図２１】
2006101897.tif 000023
【図２２】
2006101897.tif 000024
【図２３】
2006101897.tif 000025
【図２４】
2006101897.tif 000026
【図２５】
2006101897.tif 000027
【図２６】
2006101897.tif 000028
【図２７】
2006101897.tif 000029
【図２８】
2006101897.tif 000030
【図２９】
2006101897.tif 000031
【図３０】
2006101897.tif 000032
【図３１】
2006101897.tif 000033
【図３２】
2006101897.tif 000034
【図３３】
2006101897.tif 000035
【図３４】
2006101897.tif 000036
【図３５】
2006101897.tif 000037
【図３６】
2006101897.tif 000038
【図３７】
2006101897.tif 000039
【図３８】
2006101897.tif 000040
【図３９】
2006101897.tif 000041
【図４０】
2006101897.tif 000042